(57)【要約】【課題】  携帯端末機の表示部の中央領域を中心にして、グラフィックデータを表示部に表示されるように出力することによって、視覚的に画質を改善させる携帯端末機の表示部駆動装置及び方法を提供する。【解決手段】   携帯端末機の表示部駆動装置は、携帯端末機の各機能部を制御する制御部と、ＧＲＡＭと、コラムドライバーと、前記制御部の制御信号によりディスプレイパネルのコラム及び第１、第２のローアドレス信号をそれぞれ出力するタイミング制御部と、コラムドライバーからコラム順に出力される画像信号のロー表示状態を制御する第１のロードライバーと、コラムドライバーからコラム順に出力される画像信号のロー表示状態を制御する第２のロードライバーと、グラフィックデータを表示するディスプレイパネルと、から構成される。【選択図】    図１
2005115374.tif 000002
【特許請求の範囲】
【請求項１】
携帯端末機の各機能部を制御する制御部と、
前記制御部のグラフィックデータを受信して貯蔵し、出力するＧＲＡＭと、
前記ＧＲＡＭのグラフィックデータを受信してコラム順に出力するコラムドライバーと、
前記制御部の制御信号によりディスプレイパネルのコラム及び第１、第２のローアドレス信号をそれぞれ出力するタイミング制御部と、
前記第１のローアドレス信号によりコラムドライバーからコラム順に出力される画像信号のロー表示状態を制御する第１のロードライバーと、
前記第２のローアドレス信号によりコラムドライバーからコラム順に出力される画像信号のロー表示状態を制御する第２のロードライバーと、
前記コラムドライバー及び第１、第２のロードライバーから印加されるグラフィックデータを表示するディスプレイパネルと、
から構成されることを特徴とする携帯端末機の表示部駆動装置。
【請求項２】
前記制御部は、
携帯端末機の各機能部を制御し監視する同時に、各種運用情報、ショットメッセージ及びマルチメディアメッセージなどのメッセージ、画像信号などによるグラフィックデータをフレーム単位でＧＲＡＭに出力することを特徴とする請求項１に記載の携帯端末機の表示部駆動装置。
【請求項３】
前記ＧＲＡＭは、制御部から印加されるグラフィックデータをディスプレイパネルに表示されるフレーム単位で貯蔵し、コラムドライバーに印加することを特徴とする請求項１に記載の携帯端末機の表示部駆動装置。
【請求項４】
前記タイミング制御部は、
前記ディスプレイパネルを構成するコラムアドレスをコラムドライバーに出力し、ローアドレスを二等分してロードライバーに出力することを特徴とする請求項１に記載の携帯端末機の表示部駆動装置。
【請求項５】
前記コラムドライバーは、
前記ＧＲＡＭからフレーム単位で印加されるグラフィックデータを前記タイミング制御部から印加されるコラムアドレス信号によってディスプレイパネルに出力することを特徴とする請求項１に記載の携帯端末機の表示部駆動装置。
【請求項６】
前記第１のロードライバーは、
前記ディスプレイパネルのローを二等分した中間部分から上段まで順序に駆動するローアドレスを出力することを特徴とする請求項１に記載の部駆動装置。
【請求項７】
前記第２のロードライバーは、
前記ディスプレイパネルのローを二等分した中間部分から下段まで順序に駆動するローアドレスを出力することを特徴とする請求項１に記載の携帯端末機の表示部駆動装置。
【請求項８】
前記ディスプレイパネルは、
前記第１のロードライバー及び第２のロードライバーから印加されるローアドレスによりグラフィックデータを中間部分から上下の両方向にそれぞれ１ラインずつ、２ラインを同時に出力することを特徴とする請求項１に記載の携帯端末機の表示部駆動装置。
【請求項９】
前記ディスプレイパネルは、
前記第１のロードライバー及び第２のロードライバーから印加されるローアドレスによりグラフィックデータを中間部分から上下の両方向に１ラインずつ交互に順序に出力することを特徴とする請求項１に記載の携帯端末機の表示部駆動装置。
【請求項１０】
グラフィックデータが入力されると保存し、ディスプレイパネルのローアドレスを二等分する段階と、
前記分割された部分から上下の両終端まで駆動するローアドレスを発生する段階と、
前記発生されたローアドレスによってディスプレイパネルの中間部分からグラフィックデータを表示する段階と、
から構成されることを特徴とする携帯端末機の表示部駆動方法。
【請求項１１】
前記発生されたローアドレスは、
ディスプレイパネルの分割された中間部分から上段の端まで、また、中間部分から下段の端まで、それぞれ１ラインずつ交互に順序に駆動する第１のローアドレス及び第２のローアドレスであることを特徴とする請求項１０に記載の携帯端末機の表示部駆動方法。
【請求項１２】
前記発生されたローアドレスは、
ディスプレイパネルの分割された中間部分から上段の端まで、また、中間部分から下段の端まで、それぞれ１ラインずつ２ラインを同時に駆動する第１のローアドレス及び第２のローアドレスであることを特徴とする請求項１０に記載の携帯端末機の表示部駆動方法。
【請求項１３】
前記表示段階は、
前記発生されたローアドレスによりディスプレイパネルの分割された中間部分から上下両方向にそれぞれ１ラインずつ交互に順序に表示する段階であることを特徴とする請求項１０に記載の携帯端末機の表示部駆動方法。
【請求項１４】
前記表示段階は、
前記発生されたローアドレスによりディスプレイパネルの分割された中間部分から上下両方向にそれぞれ１ラインずつ２ラインを同時に表示する段階であることを特徴とする請求項１０に記載の携帯端末機の表示部駆動方法。
【請求項１５】
グラフィックデータは、
制御部に入力されてＧＲＡＭに記録貯蔵され、ディスプレイパネルに出力されて表示されることを特徴とする請求項１０に記載の携帯端末機の表示部駆動方法。
【請求項１６】
表示部を備える携帯端末機であって、
制御部にグラフィックデータが入力される段階と、
前記グラフィックデータがＧＲＡＭに入力される段階と、
タイミング制御部においてディスプレイパネルをロー領域に二等分し、ローアドレスを発生する段階と、
コラムドライバーにおいてＧＲＡＭからフレーム単位で印加されるグラフィックデータを前記タイミング制御部から印加されるコラムアドレス信号によってディスプレイパネルに出力する段階と、
ロードライバーにおいてディスプレイパネルのローを二等分した中間部分から上段まで、また、中間部分から下段までそれぞれ順序に駆動するローアドレスを出力する段階と、
前記ロードライバーから印加されるローアドレスによりグラフィックデータをディスプレイパネルの中間部分から上下の両方向に表示する段階と、
から構成されることを特徴とする表示部駆動方法。
【請求項１７】
前記ローアドレスは、
第１のローアドレス及び第２のローアドレスから構成されることを特徴とする請求項１６に記載の表示部駆動方法。
【請求項１８】
前記第１のローアドレスは、
前記二等分されたローの中間部分から上段まで順序に駆動するローアドレスを出力することを特徴とする請求項１７に記載の携帯端末機の表示部駆動方法。
【請求項１９】
前記第２のローアドレスは、
前記二等分されたローの中間部分から下段まで順序に駆動するローアドレスを出力することを特徴とする請求項１７に記載の携帯端末機の表示部駆動装置。
【請求項２０】
前記ローアドレスは、
ディスプレイパネルの分割された中間部分から上段の端まで、また、中間部分から下段の端まで、それぞれ１ラインずつ交互に順序に駆動する第１のローアドレス及び第２のローアドレスであることを特徴とする請求項１６に記載の携帯端末機の表示部駆動方法。
【請求項２１】
前記ローアドレスは、
ディスプレイパネルの分割された中間部分から上段の端まで、また、中間部分から下段の端部まで、それぞれ１ラインずつ２ラインを同時に駆動する第１のローアドレス及び第２のローアドレスであることを特徴とする請求項１６に記載の携帯端末機の表示部駆動方法。
【請求項２２】
前記グラフィックデータは、
前記発生されたローアドレスによりディスプレイパネルの分割された中間部分から上下両方向にそれぞれ１ラインずつ交互に順序に表示されることを特徴とする請求項１６に記載の携帯端末機の表示部駆動方法。
【請求項２３】
前記グラフィックデータは、
前記発生されたローアドレスによりディスプレイパネルの分割された中間部分から上下両方向にそれぞれ１ラインずつ２ラインが同時に表示されることを特徴とする請求項１６に記載の携帯端末機の表示部駆動方法。
【発明の詳細な説明】
【技術分野】
【０００１】
本発明は、携帯端末機に関し、特に、携帯端末機の表示部の画質を改善する携帯端末機の表示部駆動装置及び方法に関する。
【背景技術】
【０００２】
初期の移動通信端末機は、単純に携帯用無線通信手段を提供することであり、その機能が制限されていた。しかしながら、通話品質または通話距離などの向上のための無数の研究開発が進行され、関連技術の発展によって移動通信端末機の使用が大衆化及び普遍化されるにつれて、端末機の概念は、無線通信手段だけでなく、使用者の欲求を充足させるために多様な機能を遂行する携帯システムとして、非常に複合的な性格を有するようになった。最近は、フルカラー(full color)の動画像を見ることのできるカラー液晶、停止画像または動画像を撮ることのできるカメラだけでなく、原音水準の音楽を聞ける６４和音のサウンドカードなどを備えた端末機が常用化され、移動通信端末機を携帯用エンターテイメントシステムと呼んでもいいほどである。現在ＩＭＴ−２０００という次世代移動通信システムの導入を目前に置いて、端末機の性能に対する、特に、画像を表示する端末機表示部の性能及び画質に対する使用者の関心がもっと高くなっている。
【０００３】
一般的に、携帯端末機の表示部には、薄膜トランジスター液晶表示装置(Thin Film Transistor-Liquid Crystal Display: ＴＦＴ−ＬＣＤ)が使用され、前記ＴＦＴ−ＬＣＤは、ビデオ画面表示体系において独立的に処理できる画像の最小要素で、かつ、光を発生する最小単位である画素(pixel)が横及び縦に一定の規則により配列され制御されて、各種画像信号を視覚的に表示する。
【０００４】
図８は、既存の携帯端末機の表示部駆動装置の構造を示す図である。
【０００５】
図８に示すように、既存の携帯端末機の表示部駆動装置は、携帯端末機の各機能部を制御する制御部１０と、前記制御部１０のグラフィックデータを受信して貯蔵して出力するグラフィックＲＡＭ(Graphic Random Access Memory: ＧＲＡＭ)２０と、前記ＧＲＡＭ２０のグラフィックデータを受信してコラム順に出力するコラムドライバー(columndriver)３０と、前記制御部１０の制御信号によりディスプレイパネル(display panel)６０のコラム及びローアドレス信号をそれぞれ出力するタイミング(timing)制御部４０と、前記ローアドレス信号によりコラムドライバー３０からコラム順に出力される画像信号のロー表示状態を制御するロードライバー(rowdriver)５０と、前記コラムドライバー３０及びロードライバー５０から印加されるグラフィックデータを表示するディスプレイパネル６０と、から構成される。
【０００６】
前記制御部１０は、携帯端末機の各機能部を制御し監視する同時に、各種運用情報、ショットメッセージ及びマルチメディアメッセージなどのメッセージ、画像信号などによるグラフィックデータをＧＲＡＭ２０に出力する。前記ＧＲＡＭ２０は、制御部１０から印加されるグラフィックデータをディスプレイパネル６０に表示されるフレーム単位で貯蔵し、コラムドライバー３０に印加する。
【０００７】
前記コラムドライバー３０は、タイミングコントローラ４０から印加されるコラムアドレス信号により、ＧＲＡＭ２０から印加されたフレーム単位のグラフィックデータをディスプレイパネル６０の横方向に出力する。一般的に、コラムドライバーは、ソース(source)電極を駆動するという意味から、ソースドライバーとも言い、信号線を通じて実際に画素に信号電圧を印加する役割をする。
【０００８】
前記ロードライバー５０は、コラムドライバー３０によりディスプレイパネル６０に横方向に出力されるフレーム単位のグラフィックデータを、ローアドレスを使用して縦方向にに分散させる。一般的に、ロードライバーは、ゲート(gate)電極を駆動させるという意味から、ゲートドライバーとも言い、順次的にゲートライン(gate line)を選択するスキャン(scan)信号を発生する役割をする。
【０００９】
前記ディスプレイパネル６０は、画素ごとにＴＦＴアレイ(array)及びカラーフィルター基板から構成され、その周辺にコラムドライバー３０とロードライバー５０が連結され、この２つから印加されるグラフィックデータを表示する。前記ＴＦＴアレイは、画素ごとに設置されたＴＦＴとキャパシタ(capacitor)、及びこれらをマトリックス(matrix)形態で相互連結するゲート及びデータ配線から構成され、前記ゲート配線は、ロードライバー５０を連結し、データ配線は、コラムドライバー３０を連結する。
【００１０】
図９は、既存の携帯端末機の表示部表示方向及び順序を示す図であり、一例として、横が１７６ピクセル、縦が２２０ピクセルである表示部を示す。
【００１１】
図９を参照すると、左側上段の１番目コラムである００１から右側上段の１７６まで右側方向に１７６個ピクセルを先に表示し、このときのローのＹアドレス(address)は００１である。以後、次の行であるロー００２の最左側のコラムである００１から最右側のコラムである１７６まで右側方向に１７６個ピクセルを満たす。また、その次のローの１番目のコラムから最後のコラムまで、また、その次のローの１番目のコラムから最後のコラムまで、続けて１７６個ずつのピクセルを満たすラインバイライン(lineby line)方式で、２２０個のローによるフレーム単位のグラフィックデータを順次に全て表示する。
【００１２】
図１０は、前記方式によって出力されるアドレス信号のタイミング状態を示す図である。
【００１３】
前述したように、既存の携帯端末機の表示部表示は、ラインバイライン(line by line)方式で順次駆動されるので、図１０に示すように、その出力されるタイミングもライン(line)順序によって最初ラインが出力されると、その次に２番ライン、その次に３番ラインが出力され、このようにライン番号順に出力されることが分かる。
【００１４】
しかしながら、このようにラインバイライン方式で順次駆動される既存の携帯端末機の表示部の場合、伝送率制御時にビットが足りないと、中央領域の後部、つまり、中央領域の下部は、中央領域の上部に比べて相対的に画質が悪いという問題点があった。しかも、人の視覚は、画面の中央領域の画質に敏感な特性を有するので、既存の携帯端末機の表示部駆動方式は、視覚的により画質が悪く見えるという問題点があった。
【発明の開示】
【発明が解決しようとする課題】
【００１５】
本発明は、このような問題点を解決するために提案され、本発明の目的は、携帯端末機の表示部の中央領域を中心にして、グラフィックデータを表示部に表示されるように出力することによって、視覚的に画質を改善させる携帯端末機の表示部駆動装置及び方法を提供することにある。
【課題を解決するための手段】
【００１６】
前述したような目的を達成するために、本発明による携帯端末機の表示部駆動装置は、携帯端末機の各機能部を制御する制御部と、前記制御部のグラフィックデータを受信して貯蔵して出力するＧＲＡＭと、前記ＧＲＡＭのグラフィックデータを受信してコラム順に出力するコラムドライバーと、前記制御部の制御信号によりディスプレイパネルのコラム及び第１、第２のローアドレス信号をそれぞれ出力するタイミング制御部と、前記第１のローアドレス信号によりコラムドライバーからコラム順に出力される画像信号のロー表示状態を制御する第１のロードライバーと、前記第２のローアドレス信号によりコラムドライバーからコラム順に出力される画像信号のロー表示状態を制御する第２のロードライバーと、前記コラムドライバー及び第１、第２のロードライバーから印加されるグラフィックデータを表示するディスプレイパネルと、から構成される。
【００１７】
前述したような目的を達成するために、本発明による携帯端末機の表示部駆動方法は、グラフィックデータが入力されると貯蔵し、ディスプレイパネルのローアドレスを二等分する過程と、前記分割された部分から上下の両端部まで駆動するローアドレスを発生する過程と、前記発生されたローアドレスによってディスプレイパネルの中間部分からグラフィックデータを表示する過程と、から構成される。
【００１８】
望ましく、前記ローアドレスは、ディスプレイパネルの分割された中間部分から上段の端まで、また、中間部分から下段の端まで、それぞれ１ラインずつ交互に順序に駆動するか、それぞれ１ラインずつ２ラインを同時に駆動する第１のローアドレス及び第２のローアドレスであることを特徴とする。
【００１９】
望ましく、前記ディスプレイパネルは、前記第１のドライバー及び第２のロードライバーから印加されるローアドレスによりグラフィックデータを中間部分から上下の両方向にそれぞれ１ラインずつ２ラインを同時に出力するか、中間部分から上下の両方向に１ラインずつ交互に順序に出力することを特徴とする。
【００２０】
本発明による携帯端末機の表示部駆動装置は、携帯端末機の各機能部を制御する制御部と、前記制御部のグラフィックデータを受信して貯蔵し、出力するＧＲＡＭと、前記ＧＲＡＭのグラフィックデータを受信してコラム順に出力するコラムドライバーと、前記制御部の制御信号によりディスプレイパネルのコラム及び第１、第２のローアドレス信号をそれぞれ出力するタイミング制御部と、前記第１のローアドレス信号によりコラムドライバーからコラム順に出力される画像信号のロー表示状態を制御する第１のロードライバーと、前記第２のローアドレス信号によりコラムドライバーからコラム順に出力される画像信号のロー表示状態を制御する第２のロードライバーと、前記コラムドライバー及び第１、第２のロードライバーから印加されるグラフィックデータを表示するディスプレイパネルと、から構成されることにより上記目的を達成する。
【００２１】
前記制御部は、携帯端末機の各機能部を制御し監視する同時に、各種運用情報、ショットメッセージ及びマルチメディアメッセージなどのメッセージ、画像信号などによるグラフィックデータをフレーム単位でＧＲＡＭに出力することを特徴としてもよい。
【００２２】
前記ＧＲＡＭは、制御部から印加されるグラフィックデータをディスプレイパネルに表示されるフレーム単位で貯蔵し、コラムドライバーに印加することを特徴としてもよい。
【００２３】
前記タイミング制御部は、前記ディスプレイパネルを構成するコラムアドレスをコラムドライバーに出力し、ローアドレスを二等分してロードライバーに出力することを特徴としてもよい。
【００２４】
前記コラムドライバーは、前記ＧＲＡＭからフレーム単位で印加されるグラフィックデータを前記タイミング制御部から印加されるコラムアドレス信号によってディスプレイパネルに出力することを特徴としてもよい。
【００２５】
前記第１のロードライバーは、前記ディスプレイパネルのローを二等分した中間部分から上段まで順序に駆動するローアドレスを出力することを特徴としてもよい。
【００２６】
前記第２のロードライバーは、前記ディスプレイパネルのローを二等分した中間部分から下段まで順序に駆動するローアドレスを出力することを特徴としてもよい。
【００２７】
前記ディスプレイパネルは、前記第１のロードライバー及び第２のロードライバーから印加されるローアドレスによりグラフィックデータを中間部分から上下の両方向にそれぞれ１ラインずつ、２ラインを同時に出力することを特徴としてもよい。
【００２８】
前記ディスプレイパネルは、前記第１のロードライバー及び第２のロードライバーから印加されるローアドレスによりグラフィックデータを中間部分から上下の両方向に１ラインずつ交互に順序に出力することを特徴としてもよい。
【００２９】
前記ディスプレイパネルは、前記第１のロードライバー及び第２のロードライバーから印加されるローアドレスによりグラフィックデータを中間部分から上下の両方向に１ラインずつ交互に順序に出力することを特徴としてもよい。
【００３０】
グラフィックデータが入力されると保存し、ディスプレイパネルのローアドレスを二等分する段階と、前記分割された部分から上下の両終端まで駆動するローアドレスを発生する段階と、前記発生されたローアドレスによってディスプレイパネルの中間部分からグラフィックデータを表示する段階と、から構成されることを特徴としてもよい。
【００３１】
前記発生されたローアドレスは、ディスプレイパネルの分割された中間部分から上段の端まで、また、中間部分から下段の端まで、それぞれ１ラインずつ交互に順序に駆動する第１のローアドレス及び第２のローアドレスであることを特徴としてもよい。
【００３２】
前記発生されたローアドレスは、ディスプレイパネルの分割された中間部分から上段の端まで、また、中間部分から下段の端まで、それぞれ１ラインずつ２ラインを同時に駆動する第１のローアドレス及び第２のローアドレスであることを特徴としてもよい。
【００３３】
前記表示段階は、前記発生されたローアドレスによりディスプレイパネルの分割された中間部分から上下両方向にそれぞれ１ラインずつ交互に順序に表示する段階であることを特徴としてもよい。
【００３４】
前記表示段階は、前記発生されたローアドレスによりディスプレイパネルの分割された中間部分から上下両方向にそれぞれ１ラインずつ２ラインを同時に表示する段階であることを特徴としてもよい。
【００３５】
グラフィックデータは、
制御部に入力されてＧＲＡＭに記録貯蔵され、ディスプレイパネルに出力されて表示されることを特徴としてもよい。
【００３６】
本発明による表示部駆動方法は、表示部を備える携帯端末機であって、制御部にグラフィックデータが入力される段階と、前記グラフィックデータがＧＲＡＭに入力される段階と、タイミング制御部においてディスプレイパネルをロー領域に二等分し、ローアドレスを発生する段階と、コラムドライバーにおいてＧＲＡＭからフレーム単位で印加されるグラフィックデータを前記タイミング制御部から印加されるコラムアドレス信号によってディスプレイパネルに出力する段階と、ロードライバーにおいてディスプレイパネルのローを二等分した中間部分から上段まで、また、中間部分から下段までそれぞれ順序に駆動するローアドレスを出力する段階と、前記ロードライバーから印加されるローアドレスによりグラフィックデータをディスプレイパネルの中間部分から上下の両方向に表示する段階と、から構成されることを特徴とすることにより上記目的を達成する。
【００３７】
前記ローアドレスは、第１のローアドレス及び第２のローアドレスから構成されることを特徴としてもよい。
【００３８】
前記第１のローアドレスは、前記二等分されたローの中間部分から上段まで順序に駆動するローアドレスを出力することを特徴としてもよい。
【００３９】
前記第２のローアドレスは、前記二等分されたローの中間部分から下段まで順序に駆動するローアドレスを出力することを特徴としてもよい。
【００４０】
前記ローアドレスは、ディスプレイパネルの分割された中間部分から上段の端まで、また、中間部分から下段の端まで、それぞれ１ラインずつ交互に順序に駆動する第１のローアドレス及び第２のローアドレスであることを特徴としてもよい。
【００４１】
前記ローアドレスは、ディスプレイパネルの分割された中間部分から上段の端まで、また、中間部分から下段の端部まで、それぞれ１ラインずつ２ラインを同時に駆動する第１のローアドレス及び第２のローアドレスであることを特徴としてもよい。
【００４２】
前記グラフィックデータは、前記発生されたローアドレスによりディスプレイパネルの分割された中間部分から上下両方向にそれぞれ１ラインずつ交互に順序に表示されることを特徴としてもよい。
【００４３】
前記グラフィックデータは、前記発生されたローアドレスによりディスプレイパネルの分割された中間部分から上下両方向にそれぞれ１ラインずつ２ラインが同時に表示されることを特徴としてもよい。
【発明の効果】
【００４４】
本発明による携帯端末機の表示部駆動装置及び方法は、携帯端末機の表示部を駆動するロードライバーを２つ使用してグラフィックデータをディスプレイパネルの中央領域から表示することによって、中央部分は最小の雑音影響を受けるようになり、伝送率制御時にビットが足りなくても中央部分は影響をほとんど受けないようになるので、中央部分の画質を改善する品質向上の効果がある。
【００４５】
また、本発明は、視覚的に敏感な中央部分の画質を改善することによって、使用者により画質向上を体感するようするサービス向上の効果がある。
【００４６】
また、本発明の一実施形態によって２ラインを同時に駆動する方法は、２ラインずつグラフィックデータを表示するので、表示時間を短縮するという効果がある。
【発明を実施するための最良の形態】
【００４７】
以下、図面を参照して本発明の望ましい実施形態を説明する。
【００４８】
図１は、本発明による携帯端末機の表示部駆動装置の構成を示す図である。
【００４９】
図１に示すように、本発明による携帯端末機の表示部駆動装置は、携帯端末機の各機能部を制御し監視する同時に、各種運用情報、ショットメッセージ及びマルチメディアメッセージなどのメッセージ、画像信号などによるグラフィックデータをＧＲＡＭ１１０に出力する制御部１００と、前記制御部１００のグラフィックデータをディスプレイパネル１６０に表示されるフレーム単位で貯蔵し、コラムドライバー１２０に印加するＧＲＡＭ１１０と、前記ＧＲＡＭ１１０のグラフィックデータを受信してコラム順に出力するコラムドライバー１２０と、前記制御部１００の制御信号によりディスプレイパネル１６０のコラム及び第１、第２のローアドレス信号をそれぞれ出力するタイミング制御部１３０と、前記第１のローアドレス信号によりコラムドライバー１２０からコラム順に出力される画像信号のロー表示状態を制御する第１のロードライバー１４０と、前記第２のローアドレス信号によりコラムドライバー１２０からコラム順に出力される画像信号のロー表示状態を制御する第２のロードライバー１５０と、前記コラムドライバー１２０及び第１、第２のロードライバー１４０、１５０から印加されるグラフィックデータを表示するディスプレイパネル１６０と、から構成される。各ユニットの機能は、従来の携帯端末機の表示部駆動装置と同様である。
【００５０】
しかしながら、本発明による携帯端末機の表示部駆動装置は、１つのロードライバーを使用する既存の装置より、１つのロードライバーをさらに備える。このように２つのロードライバー１４０、１５０を分離使用することにより、左側上段の画素から表示を開始するた既存の装置とは違って、中央領域左側の２つ画素から表示を開始して、一方は上方に、他方は下方にそれぞれ表示して行く。ここで、上下１ラインずつ交互に順次に画素を表示する方法と、上下２ラインが同時に画素を表示する方法の２種類の方法が適用されることができる。
【００５１】
まず、本発明による携帯端末機の表示部駆動方法の一実施形態として、上下１ラインずつ交互に順次に画素を表示する方法に対して説明する。
【００５２】
図２は、本発明の一実施形態による携帯端末機のディスプレイパネルの表示方向及び順序を示す図であり、１７６＊２２０ピクセルのディスプレイパネルを示す。
【００５３】
図２に示すように、縦軸中央領域である１００ローと１１１ローの１番目のコラムから表示が始まり、上下に表示領域を拡張するにおいて、上下交互に１ラインずつ順次に表示される。最初の第２のロードライバーと連係された１１１ローの１番目のコラムである００１から、最後のコラムである１７６コラムまで１ラインが表示され、その次、第１のロードライバーと連係された１１０ローの１番目のコラムである００１から、最後のコラムである１７６までもう１ラインが表示される。次には、第２のロードライバー領域の１１２ローの００１コラムから１７６コラムまで表示し、その後は、また第１のロードライバー領域の１０９ローの００１コラムから１７６コラムまで表示する。このような方式で、続けて上下に交互に画素を順次に表示するが、その順序は、ディスプレイパネル右側の数字と同一である。以上の説明においては、第２のロードライバーを先に駆動させたが、第１のロードライバーを先に駆動させてもその効果は同様である。
【００５４】
また、前述したように、中央領域から上下に交互に順次に１ラインずつ駆動させるとき、ＬＣＤドライバー制御コマンド(driver control command)の特定ビットを設定することによって、そのシフト方向(shift direction)を決めることができる。
【００５５】
図３は、前述したように１ラインずつ交互に順次に画素を表示するときの出力タイミングを示す図である。
【００５６】
図３を参照すると、１番目に出力されるローアドレスは、第２のロードライバーから出力されるアドレスＯＵＴ１であり、次に出力されるローアドレスは、第１のロードライバーから出力されるアドレスＯＵＴ２である。その次に出力されるローアドレスは、また第２のロードライバーから出力されるアドレスＯＵＴ３であり、その次に出力されるローアドレスは、また第１のロードライバーから出力されるアドレスＯＵＴ４である。このように、交互に順次に出力されるタイミングは、フレーム単位による総２２０個のローアドレスが全て出力されるまで、つまり、最後のアドレスであるＯＵＴ２２０が発生するまで続く。
【００５７】
図４は、本発明による携帯端末機の表示部駆動方法の一実施形態の過程を示すフローチャートである。
【００５８】
図４を参照すると、本発明の一実施形態による携帯端末機の表示部駆動方法は、制御部においてグラフィックデータを受信してＧＲＡＭに記録貯蔵する過程と、タイミング制御部がローアドレスを二等分して第１及び第２のロードライバーにそれぞれ印加し、コラムアドレスをコラムドライバーに印加する過程と、第１のドライバー及び第２のロードライバーがそれぞれディスプレイパネルの中間部分から上下の両端までを交互に順次駆動するローアドレスをディスプレイパネルに出力する過程と、コラムドライバーが前記コラムアドレスによってグラフィックデータをディスプレイパネルに出力する過程と、ディスプレイパネルが前記コラムドライバーから印加されるコラム単位のグラフィックデータを、第１及び第２のロードライバーから印加されるローアドレスによりフレームの中間部分から上下両方向に交互に順次出力して表示する過程と、から構成される。
【００５９】
最初に、制御部は、ディスプレイパネルに表示するグラフィックデータが入力されると、ＧＲＡＭに記録及び貯蔵する(Ｓ１０)。次に、制御部は、タイミング制御部を制御してディスプレイパネルに構成されるローアドレスを二等分して発生し、前記二等分して発生されたローアドレスをそれぞれ第１のロードライバー及び第２のロードライバーに印加する(Ｓ２０)。前記ローアドレスを受信した第１及び第２のロードライバーは、それぞれディスプレイパネルの中間部分から上下の両端までを交互に順次駆動するローアドレスをディスプレイパネルに出力する(Ｓ３０)。これと同時に、コラムドライバーは、画素に合うコラム単位でディスプレイパネルに出力する(Ｓ４０)。例えば、１７６＊２２０ピクセルである場合、フレーム単位のグラフィックデータは、１７６個のコラム単位でディスプレイパネルに出力される。次に、ディスプレイパネルは、前記コラムドライバーから印加されるコラム単位のグラフィックデータを、第１及び第２のロードライバーから印加されるローアドレスによりフレームの中間部分から上下両方向に交互に順次出力して表示する(Ｓ５０)。全ての画素に対して表示が完了すると、表示する他のグラフィックデータがあるか否かを判断し(Ｓ６０)、表示する他のグラフィックデータがある場合は、前記ディスプレイパネルに表示する過程(Ｓ４０)に戻り、これ以上表示するグラフィックデータがない場合は、過程を終了する。
【００６０】
次に、本発明による携帯端末機の表示部駆動方法の他の実施形態によって、上下の２ラインが同時に画素を表示する方法に対して説明する。
【００６１】
図５は、本発明のまた他の実施形態による携帯端末機ディスプレイパネルの表示方向及び順序を示す図であり、１７６＊２２０ピクセルのディスプレイパネルを示す。
【００６２】
図５に示すように、縦軸中央領域である１１０ローと１１１ローの１番目のコラムから表示が始まり、上下に表示領域を拡張していくとき、上下２ラインが同時に表示される。最初に、第１のロードライバーと連係された１１０ローの１番目のコラムである００１から最後のコラムである７６までの１ラインと、第２のロードライバーと連係された１１１ローの１番目のコラムの００１から最後のコラムの１７６までの１ラインが同時に表示される。次には、第１のロードライバー領域の１０９ローの００１コラムから１７６コラムまでのラインと、第２のロードライバー領域の１１２ローの００１コラムから１７６コラムまでのラインが同時に表示される。このような方式で、続けて上下２ラインを同時に表示し、その出力順序は ディスプレイパネルの右側の数字と同一である。
【００６３】
図６は、前述したように２ラインが同時に画素を表示するときの出力タイミングを示す図である。
【００６４】
図６を参照すると、１番目に出力されるローアドレスは、第１のロードライバーから出力されるアドレスＯＵＴ１及び第２のロードライバーから出力されるアドレスＯＵＴ１'である。その次に出力されるローアドレスは、第１のロードライバーから出力されるアドレスＯＵＴ２及び第２のロードライバーから出力されるアドレスＯＵＴ２'である。このように順次に同時に出力されるタイミングは、フレーム単位による総２２０個、１１０対のローアドレスが全て出力されるまで、つまり、最後のアドレスであるＯＵＴ１１０及びＯＵＴ１１０’が出力されるまで続く。
【００６５】
図７は、本発明による携帯端末機の表示部駆動方法のまた他の実施形態の過程を示すフローチャートである。
【００６６】
図７に示すように、本発明のまた他の実施形態による携帯端末機の表示部駆動方法は、制御部においてグラフィックデータを受信してＧＲＡＭに記録貯蔵する過程と、タイミング制御部がローアドレスを二等分して第１及び第２のロードライバーにそれぞれ印加し、コラムアドレスをコラムドライバーに印加する過程と、第１のドライバー及び第２のロードライバーがディスプレイパネルの中間部分から上下の両端までそれぞれ１ラインずつ同時に駆動するローアドレスをディスプレイパネルに出力する過程と、コラムドライバーが前記コラムアドレスによってグラフィックデータをディスプレイパネルに出力する過程と、ディスプレイパネルが前記コラムドライバーから印加されるコラム単位のグラフィックデータを、第１及び第２のロードライバーから印加されるローアドレスによりフレームの中間部分から上下の両方向にそれぞれ１ラインずつ同時に出力して表示する過程と、から構成される。
【００６７】
最初に、制御部は、ディスプレイパネルに表示するグラフィックデータが入力されると、ＧＲＡＭに記録及び貯蔵する(Ｓ１００)。以後、制御部は、タイミング制御部を制御してディスプレイパネルに構成されるローアドレスを二等分して発生し、前記二等分して発生されたローアドレスをそれぞれ第１のロードライバー及び第２のロードライバーに印加する(Ｓ１１０)。前記ローアドレスを受信した第１及び第２のロードライバーは、ディスプレイパネルの中間部分から最上部まで、また、中間部分から最下部までをそれぞれ１ラインずつ同時に駆動するローアドレスを発生してディスプレイパネルに出力する(Ｓ１２０)。これと同時に、コラムドライバーは、フレーム単位のグラフィックデータを画素に合うコラム単位でディスプレイパネルに表示する(Ｓ１３０)。以後、ディスプレイパネルは、前記コラムドライバーから印加されるコラム単位のグラフィックデータを、第１及び第２のロードライバーから印加されるローアドレスによりフレームの中間部分から上下の両方向に同時にそれぞれ１ラインずつ出力して表示する(Ｓ１４０)。全ての画素に対して表示が完了すると、表示する他のグラフィックデータがあるか否かを判断し(Ｓ１５０)、表示する他のグラフィックデータある場合、前記ディスプレイパネルに表示する過程(Ｓ１３０)に戻り、これ以上表示するグラフィックデータがない場合は、過程を終了する。
【００６８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【００６９】
携帯端末機の表示部の中央領域を中心にして、グラフィックデータを表示部に表示されるように出力することによって、視覚的に画質を改善させる携帯端末機の表示部駆動装置及び方法を提供する。携帯端末機の表示部駆動装置は、携帯端末機の各機能部を制御する制御部と、ＧＲＡＭと、コラムドライバーと、前記制御部の制御信号によりディスプレイパネルのコラム及び第１、第２のローアドレス信号をそれぞれ出力するタイミング制御部と、コラムドライバーからコラム順に出力される画像信号のロー表示状態を制御する第１のロードライバーと、コラムドライバーからコラム順に出力される画像信号のロー表示状態を制御する第２のロードライバーと、グラフィックデータを表示するディスプレイパネルと、から構成される。
【図面の簡単な説明】
【００７０】
【図１】図１は、本発明による携帯端末機の表示部駆動装置の構成を示す図である。
【図２】図２は、本発明の一実施形態による携帯端末機のディスプレイパネル表示方向及び順序を示す図である。
【図３】図３は、本発明の一実施形態によって１ラインずつ交互に順次に画素を表示するときの出力タイミングを示す図である。
【図４】図４は、本発明の一実施形態による携帯端末機の表示部駆動方法を示すフローチャートである。
【図５】図５は、本発明の他の実施形態による携帯端末機のディスプレイパネル表示方向及び順序を示す図である。
【図６】図６は、本発明のまた他の実施形態によって２ラインが同時に画素を表示するときの出力タイミングを示す図である。
【図７】図７は、本発明のまた他の実施形態による携帯端末機の表示部駆動方法を示すフローチャートである。
【図８】図８は、既存の携帯端末機の表示部駆動装置の構造を示す図である。
【図９】図９は、既存の携帯端末機のディスプレイパネル表示方向及び順序を示す図である。
【図１０】図１０は、既存の表示部駆動方法によってディスプレイパネルに出力されるアドレス信号のタイミング状態を示す図である。
【符号の説明】
【００７１】
１０：制御部 
２０：グラフィックＲＡＭ(ＧＲＡＭ)
３０：コラムドライバー(column driver)
４０：タイミング制御部
５０：ロードライバー(row driver)
６０：ディスプレイパネル
１００：制御部
１１０：ＧＲＡＭ
１２０：コラムドライバー
１３０：タイミング制御部
１４０：第１のロードライバー
１５０：第２のロードライバー
１６０：ディスプレイパネル
【図１】
2005115374.tif 000003
【図２】
2005115374.tif 000004
【図３】
2005115374.tif 000005
【図４】
2005115374.tif 000006
【図５】
2005115374.tif 000007
【図６】
2005115374.tif 000008
【図７】
2005115374.tif 000009
【図８】
2005115374.tif 000010
【図９】
2005115374.tif 000011
【図１０】
2005115374.tif 000012